(57)【要約】  リソース割り当て方法、装置及び通信システムを提供する。基地局は、リソースプール中の各リソースユニットに優先度を割り当て、その後、優先度情報をシグナリングによりそのカバレッジ内のユーザ装置に通知し、これにより、ユーザ装置は、基地局からのリソースユニットの優先度設定情報に基づいて、その送信待ちメッセージ（V2Xデータパケット）のためにそれ相応のリソースユニットを選択する。よって、リソース衝突の低減及び低レイテンシの保証を実現することができる。
2019512968.tif 000002
【特許請求の範囲】
【請求項１】
基地局に構成されるリソース割り当て装置であって、
リソースプール中のリソースユニットに優先度を割り当てるための割り当て手段；及び
前記リソースユニットの優先度設定情報を前記基地局のカバレッジ内のユーザ装置に送信するための送信手段を含む、装置。
【請求項２】
請求項1に記載の装置であって、
前記割り当て手段は、
ランダム割り当て方法；
リソース重畳程度に基づく割り当て方法；
リソースユニット使用率に基づく割り当て方法；及び
送信電力に基づく割り当て方法
のうちの１つ、複数又は任意の組み合わせに基づいて、前記リソースプール中の前記リソースユニットに優先度を割り当てる、装置。
【請求項３】
請求項2に記載の装置であって、
前記リソース重畳程度に基づく割り当て方法の場合、重畳した部分が比較的少ないリソースユニットの優先度は、重畳した部分が比較的多いリソースユニットの優先度よりも高い、装置。
【請求項４】
請求項1に記載の装置であって、
前記優先度とは、異なるリソース特徴を指し、前記割り当て手段は、前記異なるリソース特徴により前記リソースプール中のリソースユニットを区別する、装置。
【請求項５】
請求項1に記載の装置であって、
前記送信手段は、物理層シグナリング又は上位層シグナリングにより前記リソースユニットの優先度設定情報を前記基地局のカバレッジ内のユーザ装置に送信する、装置。
【請求項６】
請求項5に記載の装置であって、
前記優先度設定情報は、１次元ビットマップによりマッピングされ、又は、２次元ビットマップによりマッピングされる、装置。
【請求項７】
ユーザ装置に構成されるリソース割り当て装置であって、
送信待ちメッセージの優先度を確定するための確定手段；及び
基地局からの、リソースプール中のリソースユニットの優先度設定情報に基づいて、前記リソースプール中から、前記送信待ちメッセージを送信するためのリソースユニットを選択するための選択手段を含む、装置。
【請求項８】
請求項7に記載の装置であって、
前記確定手段は、
送信待ちメッセージの重要性又は緊急性；
送信待ちメッセージが採用する変調符号化方式；
送信待ちメッセージのサイズ；
前記ユーザ装置の移動速度；
前記基地局からの専用設定シグナリング；及び
前記ユーザ装置の類型
のうちの１つ、複数又は任意の組み合わせに基づいて、送信待ちメッセージの優先度を確定する、装置。
【請求項９】
請求項7に記載の装置であって、
前記選択手段は、前記リソースプール中から、優先度が前記送信待ちメッセージの優先度に等しく又はそれ以下のリソースユニットを選択する、装置。
【請求項１０】
請求項9に記載の装置であって、
前記リソースプール中で優先度条件を満足したリソースユニットが多過ぎる場合、前記選択手段は、その中から必要な数量のリソースユニットをランダムに選択し、又は、その中からチャンル品質が比較的良い必要な数量のリソースユニットを選択する、装置。
【請求項１１】
請求項9に記載の装置であって、
前記リソースプール中で優先度条件を満足したリソースユニットが不足している場合、前記選択手段は、まず、優先度条件を満足したリソースユニットを選択し、次に、リソースプール中で優先度が必要な優先度よりも高く又は低いリソースユニットのうちから足りない分のリソースユニットを選択する、装置。
【請求項１２】
基地局及びユーザ装置を含む通信システムであって、
前記基地局は、リソースプール中のリソースユニットに優先度を割り当て、前記リソースユニットの優先度設定情報をそのカバレッジ内のユーザ装置に送信するように構成され、
前記ユーザ装置は、送信待ちメッセージの優先度を確定し、前記基地局からの、リソースプール中のリソースユニットの優先度設定情報に基づいて、前記リソースプール中から前記送信待ちメッセージを送信するためのリソースユニットを選択するように構成される、通信システム。
【発明の詳細な説明】
【技術分野】
【０００１】
本発明は、通信分野に関し、特に、リソース割り当て方法、装置及び通信システムに関する。
【背景技術】
【０００２】
近年、車両と車両V（vehicle-to-vehicle、V2V）通信が次第に無線通信分野において研究のホットスポットになっている。将来、車両と車両（V2V）が互いに接続され得るだけでなく、車両は、インターネットに自由に接続することもできる。このような“IoV（Internet  of  Vehicles）”は、新しいコンセプトである。しかも、それに伴って大量の応用が出現し得るため、我々の生活を大きく変えることもできる。よって、“IoV”は、既に大量の研究機構及び標準化組織に注目されている。今まで、多くのV2V通信システム及びプロジェクト、例えば、IEEE  802.11p専用狭域通信システム（dedicated  short  range  communications、DSRC）、高度道路交通システム（intelligent  transportation  system、ITS）などが提案されてきた。
【０００３】
一方、LTE（Long  Term  Evolution、LTE）／LTEアドバンスト（LTE-Advanced）システムが全世界で既に成功しているため、V2V通信に新しい機会を与え、車両と車両の接続や、車両とインターネットの接続を可能にする。今のところ、LTE／LTE-Advancedが既に装置間通信（device-to-device、D2D）をサポートしているので、最も直接的なスキームは、D2DのPC5インターフェースに基づいて、車両と車両（vehicle-to-vehicle、V2V）、車両とネットワーク（vehicle-to-infrastructure／network、V2I／N）、及び車両と歩行者（vehicle-to-pedestrian、V2P）の間の通信を実現することであり、V2X通信と総称される。
【０００４】
なお、上述の背景技術についての紹介は、本発明の技術案を明確かつ完全に説明し、また、当業者がそれを理解しやすいためのものである。これらの案は、本発明の背景技術の部分に記述されているため、当業者にとって周知であると解釈すべきではない。
【発明の概要】
【発明が解決しようとする課題】
【０００５】
しかし、発明者は、次のようなことを発見した。即ち、D2D通信に比べ、V2X通信は、より低いレイテンシ及びより高い信頼性を要する。例えば、V2X通信のレイテンシが通常100  msよりも低くなる必要があり、また、V2X通信のトラフィックが安全性にもかかわるので、信頼性の面においては、V2X通信の要求が極めて厳しい。よって、このような厳しい技術要求の下で、元々D2D通信に向けた従来のメカニズムがあらゆる面においてさらに強化される必要があり、例えば、リソースプール構造の最適化、リソース衝突の低減、比較的大きなドップラースプレッドの克服、復調用参照信号及び同期信号のエンハンスメントなどである。そのうち、リソース衝突問題は、特にシビアである。
【０００６】
リソース衝突の低減及び低レイテンシの保証のために、本発明の実施例は、リソース割り当て方法、装置及び通信システムを提供する。
【課題を解決するための手段】
【０００７】
本発明の実施例の第一側面によれば、基地局に用いるリソース割り当て方法が提供され、そのうち、前記方法は、
リソースプール中のリソースユニットに優先度を割り当て；及び
前記リソースユニットの優先度設定情報を前記基地局のカバレッジ内のユーザ装置に送信することを含む。
【０００８】
本発明の実施例の第二側面によれば、ユーザ装置に用いるリソース割り当て方法が提供され、そのうち、前記方法は、
送信待ちメッセージの優先度を確定し；及び
基地局からの、リソースプール中のリソースユニットの優先度設定情報に基づいて、前記リソースプール中から、前記送信待ちメッセージを送信するためのリソースユニットを選択することを含む。
【０００９】
本発明の実施例の第三側面によれば、基地局に構成されるリソース割り当て装置が提供され、そのうち、前記装置は、
リソースプール中のリソースユニットに優先度を割り当てるための割り当て手段；及び
前記リソースユニットの優先度設定情報を前記基地局のカバレッジ内のユーザ装置に送信するための送信手段を含む。
【００１０】
本発明の実施例の第四側面によれば、ユーザ装置に構成されるリソース割り当て装置が提供され、そのうち、前記装置は、
送信待ちメッセージの優先度を確定するための確定手段；及び
基地局からの、リソースプール中のリソースユニットの優先度設定情報に基づいて、前記リソースプール中から、前記送信待ちメッセージを送信するためのリソースユニットを選択するための選択手段を含む。
【００１１】
本発明の実施例の第五側面によれば、基地局が提供され、前記基地局は、前述の第三側面に記載の装置を含む。
【００１２】
本発明の実施例の第六側面によれば、ユーザ装置が提供され、前記ユーザ装置は、前述の第四側面に記載の装置を含む。
【００１３】
本発明の実施例の第七側面によれば、通信システムが提供され、前記通信システムは、基地局及びユーザ装置を含み、そのうち、
前記基地局は、リソースプール中のリソースユニットに優先度を割り当て；及び、前記リソースユニットの優先度設定情報をそのカバレッジ内のユーザ装置に送信するように構成され、
前記ユーザ装置は、送信待ちメッセージの優先度を確定し；及び、基地局からの、リソースプール中のリソースユニットの優先度設定情報に基づいて、前記リソースプール中から、前記送信待ちメッセージを送信するためのリソースユニットを選択するように構成される。
【００１４】
本発明の実施例の有益な効果は、次の通りである。即ち、本発明の実施例における方法、装置又はシステムにより、リソース衝突の低減及び低レイテンシの保証を実現することができる。
【００１５】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００１６】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００１７】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１８】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面中の対応する部品を示し、複数の実施形態に用いる対応部品を示すためにも用いられる。
【００１９】
含まれている図面は、本発明の実施例への更なる理解を提供するために用いられ、これらの図面は、本明細書の一部を構成しており、本発明の実施形態を例示し、また、文字記載とともに本発明の原理を説明するために用いられる。また、明らかのように、以下に記載されている図面は、本発明の幾つかの実施例を示すためのものに過ぎず、当業者は、創造性のある労働を行わずに、これらの図面に基づいて他の図面を得ることもできる。
【図１】実施例1のリソース割り当て方法を示す図である。
【図２】優先度の設定情報が１次元ビットによりマッピングされることを示す図である。
【図３】優先度の設定情報が２次元ビットによりマッピングされることを示す図である。
【図４】実施例2のリソース割り当て方法を示す図である。
【図５】実施例3のリソース割り当て装置を示す図である。
【図６】実施例3の基地局のシステム構成を示す図である。
【図７】実施例4のリソース割り当て装置を示す図である。
【図８】実施例4のユーザ装置のシステム構成を示す図である。
【図９】実施例5の通信システムを示す図である。
【発明を実施するための形態】
【００２０】
添付した図面及び以下の説明を参照することにより、本発明の前述及び他の特徴が明らかになる。なお、明細書及び図面では、本発明の特定の実施方式を開示しているが、それは、本発明の原理を採用し得る一部のみの実施方式を示し、理解すべきは、本発明は、記載されている実施方式に限定されず、即ち、本発明は、添付した特許請求の範囲内での全ての変更、変形及び代替によるものも含むということである。
【００２１】
本願では、基地局は、アクセスポイント、ブロードキャスト送信機、ノードB、進化ノードB(eNB)などと称されても良く、且つそれらの一部又は全部の機能を含んでも良い。本文では、用語“基地局”を用いる。各基地局は、特定の地理的領域に通信カバレッジを提供する。
【００２２】
本願では、移動局又は装置は、“ユーザ装置”(UE、User  Equipment)と称されても良い。UEは、固定したもの又は移動可能なものであっても良く、移動ステーション、端末、アクセス端末、ユーザユニット、ステーションなどと称されても良い。UEは、セルラーフォン、PDA、無線モデム、無線通信装置、携帯装置、ノートブック型コンピュータ、コードレスフォン、車両などであっても良い。
【００２３】
上述のように、従来のD2Dリソース割り当てメカニズムがV2X通信の要求を満たすことができないので、本発明の実施例は、新しいリソース割り当て方案を提供する。本発明の実施例では、基地局は、リソースプール中の各リソースユニットに優先度を割り当て、その後、該優先度情報をシグナリングによりそのカバレッジ内のユーザ装置に通知する。それ相応に、ユーザ装置は、V2Xデータパケットを送信する前に、まず、データパケットの優先度を確定し、それから、基地局からのリソースユニットの優先度情報に基づいて、対応するリソースユニットを選択する。
【００２４】
以下、添付した図面を参照しながら本発明の実施例について詳細に説明する。
【実施例１】
【００２５】
本実施例は、リソース割り当て方法を提供し、該方法は、基地局に用いられる。図1は、本実施例の方法を示す図である。図1に示すように、該方法は、次のようなステップを含む。
【００２６】
ステップ101：基地局がリソースプール中のリソースユニットに優先度を割り当て；
ステップ102：前記基地局が前記リソースユニットの優先度設定情報をそのカバレッジ内のユーザ装置に送信する。
【００２７】
本実施例では、該ユーザ装置は、例えば、前述のIoVの端末であっても良いが、本発明は、これに限定されず、例えば、該ユーザ装置は、他のネットワークシステムの端末であっても良い。なお、本発明の実施例は、IoVのみを例として説明を行うが、これに限定されず、リソース割り当てを行う任意のシステムに応用することもできる。
【００２８】
本実施例では、基地局は、マクロ基地局（例えば、eNB）であっても良く、ユーザ装置は、該マクロ基地局が生成したマクロセル（例えば、Macro  cell）によりサービングされる。また、本発明の実施例における基地局は、マイクロ基地局であってよく、ユーザ装置は、該マイクロ基地局が生成したマイクロセル（例えば、Pico  cell）によりサービングされる。なお、本発明の実施例は、これに限定されず、実際のニーズに応じて具体的なシナリオを確定しても良い。
【００２９】
本実施例では、基地局は、リソースプール中の各リソースユニットに優先度を割り当て、その後、該優先度情報をシグナリングによりそのカバレッジ内のユーザ装置に通知し、これにより、ユーザ装置は、該基地局からのリソースユニットの優先度情報に基づいて、送信待ちメッセージ（V2Xデータパケット）のためにそれ相応のリソースユニットを選択し、これにより、リソース衝突の低減及び低レイテンシの保証を実現することができる。
【００３０】
本実施例では、基地局がリソースプール中のリソースユニットに優先度を割り当てることは、静的方式で完成されても良く、半静的又は動的方式で完成されても良く、本実施例は、これについて限定しない。ここでのリソースプールとは、V2X通信のためのリソースプールを指し、本実施例では、この部分のリソースプールのみを説明し、他のリソースプール、例えば、LTE通信のためのリソースプールについては、限定しない。
【００３１】
本実施例では、優先度は、等級（grade）により表されても良く、高優先度のリソースユニットは、信頼性がより高い伝送を提供することができる。優先度の等級の数量及び各優先度のリソースユニットの数量は、セルカバレッジ内のユーザ装置のトラフィックの類型、ペイロードの状況、リソースプールの大小（サイズ）などに依存する。また、優先度が同じであるリソースユニットは、集中型の連続したものであっても良く、分散型の不連続したものであっても良い。
【００３２】
本実施例では、優先度は、より広いコンセプトを有しても良く、例えば、優先度は、リソース特徴により表されても良く、異なるリソース特徴によりリソースプール中の異なるリソースユニットを区別し、同じリソース特徴を有するリソースユニットは、同じ優先度を有するものに相当する。
【００３３】
本実施例では、該リソースユニットの優先度の割り当て方法は、少なくとも次のような４種類を含む。即ち、
ランダム割り当て方法；
リソース重畳（overlap）程度（状況）に基づく割り当て方法；
リソースユニット使用率に基づく割り当て方法；及び
送信電力に基づく割り当て方法である。
【００３４】
具体的な実施プロセスでは、基地局は、上述の４種類の割り当て方法のうち１つ、複数、又は任意の組み合わせを選択し、リソースプール中のリソースユニットのために優先度を割り当てることができる。
【００３５】
ランダム割り当て方法の場合、基地局は、リソースプール中の各リソースユニットに１つの優先度をランダムに割り当てることができる。例えば、優先度の等級の数量が8であり、即ち、優先度が計８個の等級を有するとすれば、基地局は、リソースプール中の各リソースユニットにこの８個の優先度のうちの１つをランダムに割り当てることができる。
【００３６】
リソース重畳程度に基づく割り当て方法の場合、基地局は、リソースユニット相互重畳（mutual  overlapping）の状況により異なる優先度の割り当てを実現することができ、例えば、重畳した部分が比較的少ないリソースユニットの優先度は、重畳した部分が比較的多いリソースユニットの優先度よりも高い。即ち、重畳した部分が比較的少ないリソースユニットは、比較的高い優先度を有し、重畳した部分が比較的多いリソースユニットは、比較的低い優先度を有する。これにより、優先度の等級の数量が確定された場合、基地局は、リソースユニットの重畳の状況に基づいて、各リソースユニットのために優先度を割り当てることができる。
【００３７】
リソースユニット使用率に基づく割り当て方法の場合、基地局は、各リソースユニットの使用率に基づいて、各リソースユニットのために優先度を割り当てることができ、例えば、使用率が比較的高いリソースユニットは、優先度が比較的低く、逆も同様である。これにより、優先度の等級の数量が確定された場合、基地局は、各リソースユニットの使用率に基づいて、各リソースユニットのために優先度を割り当てることもできる。
【００３８】
送信電力に基づく割り当て方法の場合、基地局は、各リソースユニットの送信電力に基づいて、各リソースユニットのために優先度を割り当てることができ、例えば、送信電力が比較的高いリソースユニットは、優先度が比較的高く、逆も同様である。これにより、優先度の等級の数量が確定された場合、基地局は、さらに、各リソースユニットの送信電力に基づいて、各リソースユニットのために優先度を割り当てることができる。
【００３９】
上述の４種類の優先度の割り当て方法は、例示に過ぎず、具体的な実施プロセスでは、基地局は、他のポリシーに基づいて、各リソースユニットのために優先度を割り当ても良い。例えば、優先度がリソース特徴により表される場合、基地局は、各リソースユニットのリソース特徴に基づいて、各リソースユニットのために優先度を割り当てることもでき、ここでは、その詳しい説明を省略する。
【００４０】
本実施例では、リソースプール中の各リソースユニットに優先度を割り当てた後に、基地局は、該リソースユニットの優先度の設定情報をそのカバレッジ内のユーザ装置に送信することができる。本実施例では、基地局は、下りリンクの物理層シグナリングにより該リソースユニットの優先度設定情報をそのカバレッジ内のユーザ装置に送信しても良く、また、上位層シグナリング、例えば、無線リソース制御（RRC、Radio  Resource  Control）シグナリングにより、該リソースユニットの優先度設定情報をそのカバレッジ内のユーザ装置に送信しても良いが、本実施例では、これについて限定しない。
【００４１】
本実施例では、該優先度設定情報は、１次元ビット（１次元ビットマップ）の方式でマッピングされても良く、２次元ビット（２次元ビットマップ）の方式でマッピングされても良い。
【００４２】
図2は、該優先度設定情報が１次元ビットの方式でマッピングされることを示す図である。図2に示すように、その長さは、リソースプール中のリソースユニットの個数に等しい。例えば、P1=(Q0，Q1，…，Qm-1，Qm，Qm+1，…，Qnm-1)であり、そのうち、Qlm+kは、リソースプール中のリソースユニット(k，l)の優先度を表し、0≦k＜m、0≦l＜n、m及びnは、それぞれ、リソースプールの周波数領域及び時間領域における大小（サイズ）である。
【００４３】
図3は、該優先度設定情報が２次元ビットの方式でマッピングされることを示す図である。図3に示すように、それは、１つの大小がm×nの行列であり、その要素Qk，lは、リソースプール中のリソースユニット(k，l)の優先度を表し、0≦k＜m、0≦l＜n、また同様に、m及びnは、それぞれ、リソースプールの周波数領域及び時間領域における大小である。
【００４４】
本実施例における方法により、基地局は、リソースプール中の各リソースユニットに優先度を割り当て、その後、該優先度情報をシグナリングによりそのカバレッジ内のユーザ装置に通知し、これにより、ユーザ装置は、該基地局からのリソースユニットの優先度設定情報に基づいて、送信待ちメッセージ（V2Xデータパケット）のためにそれ相応のリソースユニットを選択し、これにより、リソース衝突の低減及び低レイテンシの保証を実現することができる。
【実施例２】
【００４５】
本実施例は、リソース割り当て方法を提供し、該方法は、ユーザ装置に用いられ、実施例1の方法に対応するユーザ装置側の処理であり、そのうち、実施例1と同じ内容は、省略される。
【００４６】
図4は、本実施例による方法の１つの実施方式を示す図である。図4に示すように、該方法は、次のようなステップを含む。
【００４７】
ステップ401：ユーザ装置が送信待ちメッセージの優先度を確定し；
ステップ402：前記ユーザ装置が、基地局からの、リソースプール中のリソースユニットの優先度設定情報に基づいて、前記リソースプール中から、前記送信待ちメッセージを送信するためのリソースユニットを選択する。
【００４８】
本実施例では、ユーザ装置は、まず、送信待ちメッセージ（V2Xデータパケット）の優先度を確定し、そして、基地局からの、リソースプール中のリソースユニットの優先度設定情報に基づいて、リソースプール中から必要なリソースユニットを選択し、それから、該送信待ちメッセージを送信する。これにより、リソース衝突の低減及び低レイテンシの保証を実現することができる。
【００４９】
ステップ401では、該ユーザ装置は、次のような１つ又は複数のファクターを考慮して送信待ちメッセージの優先度を確定することができる。即ち、
送信待ちメッセージの重要性（importance）又は緊急性（urgency）；
送信待ちメッセージが採用する変調符号化方式；
送信待ちメッセージの大小（サイズ）；
該ユーザ装置の移動速度；
上述の基地局からの専用設定シグナリング；及び
該ユーザ装置の類型（type）である。
【００５０】
送信待ちメッセージの重要性又は緊急性に基づいて該送信待ちメッセージの優先度を確定する場合、例えば、該ユーザ装置は、重要及び／又は緊急なメッセージの優先度が他のメッセージの優先度よりも高いと確定することができる。
【００５１】
送信待ちメッセージが採用する変調符号化方式に基づいて該送信待ちメッセージの優先度を確定する場合、例えば、該ユーザ装置は、高次（high-order）変調符号化方式を採用するメッセージの優先度が低次（low-order）変調符号化方式を採用するメッセージの優先度よりも高いと確定することができる。
【００５２】
送信待ちメッセージの大小に基づいて該送信待ちメッセージの優先度を確定する場合、例えば、該ユーザ装置は、サイズの大きいメッセージの優先度がサイズの小さいメッセージの優先度よりも高いと確定することができる。本実施例では、“メッセージの大小”は、必要なリソースユニットに対しての相対的大小であっても良く、必要なリソースユニットは、例えば、１つのリソースユニットのサイズと、リソースユニットの数量との乗積である。
【００５３】
該ユーザ装置の移動速度に基づいて該ユーザ装置の送信待ちメッセージの優先度を確定する場合、該ユーザ装置が車両（ユーザ装置の１種）であることを例とすれば、該ユーザ装置は、自分の移動速度を考慮してその送信待ちメッセージの優先度を決定しても良く、例えば、高速走行中の車両の優先度が低い速度で走行している車両の優先度よりも高い。
【００５４】
上述の基地局からの専用設定シグナリングに基づいて該ユーザ装置の送信待ちメッセージの優先度を確定する場合、該ユーザ装置は、そのサービング基地局の設定に基づいてその送信待ちメッセージの優先度を決定することができる。
【００５５】
該ユーザ装置の類型に基づいて該ユーザ装置の送信待ちメッセージの優先度を確定する場合、該ユーザ装置の類型は、例えば、車両としてのユーザ装置、路側ユニット（roadside  unit）としてのユーザ装置などを含み、該路側ユニットは、また、基地局類型（eNB  type）の路側ユニット、ユーザ装置類型（UE  type）の路側ユニットなどを含んでも良い。通常、路側ユニットに独立車両よりも高い優先度を与えることができるが、路側ユニットについては、比較的多い車両が接続されている路側ユニットの優先度は、比較的少ない車両が接続されている路側ユニットよりも高い。これにより、該ユーザ装置は、自分の所属する装置類型に基づいてその送信待ちメッセージの優先度を確定することができる。
【００５６】
本実施例では、リソースユニットの優先度と同様に、該送信待ちメッセージの優先度も、等級（grade）により表されても良く、又は、リソース特徴により表されても良く、ここでは、その詳しい説明を省略する。
【００５７】
送信待ちメッセージの優先度を確定した後に、ステップ402では、基地局からのリソースユニットの優先度設定情報に基づいて、該ユーザ装置は、送信待ちメッセージのためにリソースユニットを選択することができる。
【００５８】
本実施例では、上述のように、該基地局は、静的、半静的又は動的方式で上述のリソースユニットの優先度の設定を行い、そして、該ユーザ装置に通知することができる。これにより、該ユーザ装置は、リソースプール中の各リソースユニットの優先度の設定情報を得ることができ、そして、このような設定情報及び自分の送信待ちメッセージの優先度に基づいて、対応するリソースユニットを選択することができる。
【００５９】
本実施例では、該ユーザ装置は、リソースプール中から、優先度が送信待ちメッセージの優先度に等しく又はそれ以下のリソースユニットを選択することができ、これにより、リソースの浪費を避け、リソースの衝突をできるだけ低減することができる。
【００６０】
本実施例では、上述のリソースプール中で優先度条件を満足したリソースユニットが多過ぎる場合、該ユーザ装置は、その中から必要な数量のリソースユニットをランダムに選択しても良く、又は、その中からチャンル品質が比較的良い必要な数量のリソースユニットを選択しても良い。本実施例では、これについて限定しない。
【００６１】
本実施例では、上述のリソースプール中で優先度条件を満足したリソースユニットが不足している場合、該ユーザ装置は、まず、優先度条件を満足したリソースユニットを選択し、それから、リソースプール中で優先度が必要な優先度よりも高く又は低いリソースユニットのうちから足りない分のリソースユニットを選択しても良い。具体的な選択ポリシーは、基地局の設定又は該ユーザ装置自身のデフォルトアクションに依存するが、本実施例では、これについて限定しない。
【００６２】
本実施例では、送信待ちメッセージを送信するためのリソースユニットを選択した後に、該ユーザ装置は、送信待ちメッセージを、選択したリソースユニットにより送信することができる。なお、本実施例では、具体的な送信方法について限定しない。
【００６３】
本実施例における方法により、ユーザ装置は、該基地局からのリソースユニットの優先度設定情報に基づいて、送信待ちメッセージ（V2Xデータパケット）のためにそれ相応のリソースユニットを選択することができ、これにより、リソース衝突の低減及び低レイテンシの保証を実現することができる。
【実施例３】
【００６４】
本実施例は、リソース割り当て装置を提供し、該装置は、基地局に構成される。該装置が問題を解決する原理は、実施例1の方法に類似したので、その具体的な実施は、実施例1による方法の実施を参照でき、内容が同じ重複説明は、省略される。
【００６５】
図5は、該リソース割り当て装置を示す図である。図5に示すように、該装置500は、割り当て手段501及び送信手段502を含む。
【００６６】
本実施例では、該割り当て手段501は、リソースプール中のリソースユニットに優先度を割り当てるために用いられ、該送信手段502は、該リソースユニットの優先度設定情報を該基地局カバレッジ内のユーザ装置に送信するために用いられる。
【００６７】
本実施例では、該割り当て手段501は、次のような割り当て方法のうちの１つ、複数、又は任意の組み合わせに基づいて、前記リソースプール中の前記リソースユニットのために優先度を割り当てることができる。即ち、
ランダム割り当て方法；
リソース重畳程度（状況）に基づく割り当て方法；
リソースユニット使用率に基づく割り当て方法；及び
送信電力に基づく割り当て方法である。
【００６８】
具体的には、上述と同様であるので、ここでは、その詳しい説明を省略する。
【００６９】
本実施例では、リソース重畳程度に基づく割り当て方法の場合、重畳した部分が比較的少ないリソースユニットの優先度は、重畳した部分が比較的多いリソースユニットの優先度よりも高い。
【００７０】
本実施例では、優先度は、等級（grade）により表されても良く、リソース特徴により表されても良く、リソース特徴により優先度を表す実施方式では、該割り当て手段501は、異なるリソース特徴により該リソースプール中のリソースユニットを分けることができる。
【００７１】
本実施例では、該送信手段502は、物理層シグナリング又は上位層シグナリングにより該リソースユニットの優先度設定情報を上述の基地局のカバレッジ内のユーザ装置に送信することができる。本実施例では、該優先度設定情報は、１次元ビット（ビットマップ）によりマッピングされても良く、２次元ビット（ビットマップ）によりマッピングされても良い。
【００７２】
本実施例における装置により、基地局は、リソースプール中の各リソースユニットに優先度を割り当て、そして、該優先度情報をシグナリングによりそのカバレッジ内のユーザ装置に通知し、これにより、ユーザ装置は、該基地局からのリソースユニットの優先度設定情報に基づいて、送信待ちメッセージ（V2Xデータパケット）のためにそれ相応のリソースユニットを選択することができる。よって、リソース衝突の低減及び低レイテンシの保証を実現することができる。
【００７３】
本実施例は、さらに、基地局を提供し、該基地局には、上述のリソース割り当て装置500が構成される。
【００７４】
図6は、本発明の実施例における基地局の構成図である。図6に示すように、基地局600は、中央処理装置（CPU）601及び記憶器602を含んでも良く、記憶器602は、中央処理装置601に接続される。そのうち、該記憶器602は、各種のデータを記憶することができ、また、情報処理用のプログラムを更に記憶することができ、さらに、中央処理装置601の制御下で該プログラムを実行することにより、該ユーザ装置が送信した各種の情報を受信し、また、ユーザ装置にリクエスト情報を送信することができる。
【００７５】
１つの実施方式では、リソース割り当て装置500の機能は、中央処理装置601に統合することができる。そのうち、中央処理装置601は、実施例1に記載のリソース割り当て方法を実現するように構成され得る。
【００７６】
例えば、該中央処理装置601は、次のように構成されても良く、即ち、リソースプール中のリソースユニットのために優先度を割り当て；及び、前記リソースユニットの優先度設定情報をそのカバレッジ内のユーザ装置に送信する。
【００７７】
もう１つの実施方式では、リソース割り当て装置500は、中央処理装置601と別々で配置されても良く、例えば、リソース割り当て装置500を、中央処理装置601に接続されるチップとして構成し、そして、中央処理装置601の制御によりリソース割り当て装置500の機能を実現しても良い。
【００７８】
また、図6に示すように、基地局600は、さらに、送受信機603、アンテナ604などを含んでも良く、そのうち、これらの部品の機能は、従来技術に類似したので、ここでは、その詳しい説明を省略する。なお、基地局600は、必ずしも図6中の全ての部品を含む必要がない。また、基地局600は、さらに、図6中にないものを有しても良く、これについては、従来技術を参照できる。
【００７９】
本実施例における基地局は、リソースプール中の各リソースユニットに優先度を割り当て、その後、該優先度情報をシグナリングによりそのカバレッジ内のユーザ装置に通知し、これにより、ユーザ装置は、該基地局からのリソースユニットの優先度設定情報に基づいて、送信待ちメッセージ（V2Xデータパケット）のためにそれ相応のリソースユニットを選択することができる。よって、リソース衝突の低減及び低レイテンシの保証を実現することができる。
【実施例４】
【００８０】
本実施例は、ユーザ装置中に構成されるリソース割り当て装置を提供し、該装置が問題を解決する原理は、実施例2における方法に類似したため、その具体的な実施は、実施例2に記載の方法の実施を参照できるので、内容が同じである重複説明は、省略される。
【００８１】
図7は、本実施例によるリソース割り当て装置を示す図である。図7に示すように、該装置700は、確定手段701及び選択手段702を含む。
【００８２】
本実施例では、該確定手段701は、送信待ちメッセージの優先度を確定するために用いられ、該選択手段702は、基地局からの、リソースプール中のリソースユニットの優先度設定情報に基づいて、前記リソースプール中から前記送信待ちメッセージを送信するためのリソースユニットを選択するために用いられる。
【００８３】
本実施例では、該確定手段701は、次のようなファクターのうちの１つ、複数、又は任意の組み合わせに基づいて送信待ちメッセージの優先度を確定することができる。即ち、
送信待ちメッセージの重要性又は緊急性；
送信待ちメッセージ採用する変調符号化方式；
送信待ちメッセージの大小（サイズ）；
前記ユーザ装置の移動速度；
前記基地局からの専用設定シグナリング；及び
前記ユーザ装置の類型である。
【００８４】
具体的には、上述と同様であるため、ここでは、詳しい説明を省略する。
【００８５】
本実施例では、リソースユニットの優先度と同様に、該送信待ちメッセージの優先度も、等級（grade）により表されても良く、また、リソース特徴により表されても良く、ここでは、その詳しい説明を省略する。
【００８６】
本実施例では、該選択手段702は、上述のリソースプール中から、優先度が上述の送信待ちメッセージの優先度に等しく又はそれ以下であるリソースユニットを選択することができる。
【００８７】
前記リソースプール中で優先度条件を満足したリソースユニットが多過ぎる場合、該選択手段702は、必要な数量のリソースユニットをランダムに選択しても良く、又は、その中からチャンル品質が比較的良い必要な数量のリソースユニットを選択しても良い。
【００８８】
前記リソースプール中で優先度条件を満足したリソースユニットが不足している場合、該選択手段702は、先ず、優先度条件を満足したリソースユニットを選択し、それから、リソースプール中で優先度が必要な優先度よりも高く又低いリソースユニットのうちから足りない分のリソースユニットを選択しても良い。
【００８９】
本実施例における装置により、ユーザ装置は、該基地局からのリソースユニットの優先度設定情報に基づいて、送信待ちメッセージ（V2Xデータパケット）のためにそれ相応のリソースユニットを選択することができる。よって、リソース衝突の低減及び低レイテンシの保証を実現することができる。
【００９０】
本実施例は、さらに、ユーザ装置を提供し、その中には、上述のリソース割り当て装置700が構成される。
【００９１】
図8は、本発明の実施例によるユーザ装置800のシステム構成を示す図である。図8に示すように、該ユーザ装置800は、中央処理装置801及び記憶器802を含んでも良く、記憶器802は、中央処理装置801に接続される。なお、該図は、例示に過ぎず、さらに他の類型の構造により該構造に対して補充又は代替を行うことで、電気通信機能又は他の機能を実現することもできる。
【００９２】
１つの実施方式では、リソース割り当て装置700の機能は、中央処理装置801に統合することができる。そのうち、中央処理装置801は、実施例2に記載のリソース割り当て方法を実現するように構成され得る。
【００９３】
例えば、該中央処理装置801は、次のように構成されても良く、即ち、送信待ちメッセージの優先度を確定し；及び、基地局からの、リソースプール中のリソースユニットの優先度設定情報に基づいて、前記リソースプール中から前記送信待ちメッセージを送信するためのリソースユニットを選択する。
【００９４】
もう１つの実施方式では、リソース割り当て装置700は、中央処理装置801と別々で配置されても良く、例えば、リソース割り当て装置700を、中央処理装置801に接続されるチップとして構成し、そして、中央処理装置801の制御によりリソース割り当て装置700の機能を実現しても良い。
【００９５】
図8に示すように、該ユーザ装置800は、さらに、通信モジュー803、入力手段804、音声処理器805、表示器806、電源807を含んでも良い。なお、ユーザ装置800は、必ずしも図8中の全ての部品を含む必要がない。また、ユーザ装置800は、さらに、図8中にないものを含んでも良く、これについては、従来技術を参照できる。
【００９６】
図8に示すように、中央処理装置801は、制御器又は操作コントローラと称される場合があり、マイクロプロセッサ又は他の処理器装置及び／又は論理装置を含んでも良く、該中央処理装置801は、入力を受信し、ユーザ装置800の各部品の操作を制御することができる。
【００９７】
そのうち、記憶器802は、例えば、バッファ、フレッシュメモリ、ＨＤＤ、移動可能な媒体、揮発性記憶器、不揮発性記憶器、又は他の適切な装置のうちの１つ又は複数であってもよい。上述のリソース割り当てに関する情報を記憶することができ、また、さらに情報処理に関するプログラムを記憶することもできる。また、中央処理装置801は、該記憶器802に記憶の該プログラムを実行することで、情報の記憶又は処理などを実現することができる。なお、他の部品の機能は、従来技術に類似したので、ここでは、その詳しい説明を省略する。また、ユーザ装置800の各部品は、専用ハードウェア、ファームウェア、ソフトウェア、又はその組み合わせにより実現されても良いが、全ては、本発明の範囲に属する。
【００９８】
本実施例におけるユーザ装置により、ユーザ装置は、該基地局からのリソースユニットの優先度設定情報に基づいて、送信待ちメッセージ（V2Xデータパケット）のためにそれ相応のリソースユニットを選択することができる。これにより、リソース衝突の低減及び低レイテンシの保証を実現することができる。
【実施例５】
【００９９】
本実施例は、通信システムを提供し、実施例3に記載のような基地局及び実施例4に記載のようなユーザ装置を含む。
【０１００】
図9は、本発明の実施例における通信システムの構成を示す図である。図9に示すうに、該通信システム900は、基地局901及びユーザ装置902を含む。そのうち、基地局901は、実施例3に記載の基地局600であっても良く、ユーザ装置902は、実施例4に記載のユーザ装置800であっても良い。
【０１０１】
例えば、該基地局901は、次のように構成されても良く、即ち、リソースプール中のリソースユニットのために優先度を割り当て、及び、前記リソースユニットの優先度設定情報をそのカバレッジ内のユーザ装置に送信し；また、該ユーザ装置902は、次のように構成されても良く、即ち、送信待ちメッセージの優先度を確定し、及び、基地局からの、リソースプール中のリソースユニットの優先度設定情報に基づいて、前記リソースプール中から前記送信待ちメッセージを送信するためのリソースユニットを選択する。
【０１０２】
前述の実施例では、既に基地局及びユーザ装置について詳細に説明しているため、その内容は、ここに合併され、ここでは、その詳しい説明を省略する。
【０１０３】
本実施例における通信システムにより、基地局は、リソースプール中の各リソースユニットに優先度を割り当て、その後、該優先度情報をシグナリングによりそのカバレッジ内のユーザ装置に通知し、これにより、ユーザ装置は、該基地局からのリソースユニットの優先度設定情報に基づいて、送信待ちメッセージ（V2Xデータパケット）のためにそれ相応のリソースユニットを選択することができる。よって、リソース衝突の低減及び低レイテンシの保証を実現することができる。
【０１０４】
本発明の実施例は、さらに、コンピュータ可読プログラムを提供し、そのうち、リソース割り当て装置又は基地局中で前記プログラムを実行する時に、前記プログラムは、コンピュータに、実施例1に記載のリソース割り当て方法を実行させることができる。
【０１０５】
本発明の実施例は、さらに、コンピュータ可読プログラムを記憶した記憶媒体を提供し、そのうち、前記コンピュータ可読プログラムは、リソース装置又は基地局中で、コンピュータに、実施例1に記載のリソース割り当て方法を実行させることができる。
【０１０６】
本発明の実施例は、さらに、コンピュータ可読プログラムを提供し、そのうち、リソース割り当て装置又はユーザ装置中で前記プログラムを実行する時に、前記プログラムは、コンピュータに、実施例2に記載のリソース割り当て方法を実行させることができる。
【０１０７】
本発明の実施例は、さらに、コンピュータ可読プログラムを記憶した記憶媒体を提供し、そのうち、前記コンピュータ可読プログラムは、リソース割り当て装置又はユーザ装置中で、コンピュータに、実施例2に記載のリソース割り当て方法を実行させることができる。
【０１０８】
本発明の以上の装置及び方法は、ソフトウェア、又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構造部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０１０９】
図面に記載の機能ブロックのうちの１つ又は複数の組み合わせ及び／又は機能ブロックの１つ又は複数の組み合わせは、本願に記載の機能を実行するための汎用処理器、デジタル信号処理器（DSP）、専用集積バックホール（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、DSP及びマイクロプロセッサの組み合わせ、複数のマイクロプロセッサ、DSPと通信により接続される１つ又は複数のマイクロプロセッサ又は他の任意のこのような構成として構成されても良い。
【０１１０】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2019512968.tif 000003
【図２】
2019512968.tif 000004
【図３】
2019512968.tif 000005
【図４】
2019512968.tif 000006
【図５】
2019512968.tif 000007
【図６】
2019512968.tif 000008
【図７】
2019512968.tif 000009
【図８】
2019512968.tif 000010
【図９】
2019512968.tif 000011
【国際調査報告】
2019512968.tif 000012
2019512968.tif 000013
2019512968.tif 000014
2019512968.tif 000015